(57)【要約】【課題】  昇降棚に縦方向に設けられて対向する二枚のたて板のうち一方のたて板を一枚構造にして、二枚のたて板の間にラックを設けてフックで支持することができ、また、フックを安定させてその破損を防止することができる昇降棚付き収納庫を提供する。【解決手段】  電動昇降棚１１は、一枚構造の縦仕切り板１６と、二重構造の側板１２と、上部に水平方向に設けられた天板１４と、側板に固定された第１のフック１８と、天板に固定されて吊り下げられ、縦仕切り板に配置された第２のフック１９と、第１のフックと第２のフックとの間に間口一ぱいに掛け渡され且つ第２のフックを縦仕切り板に常に押し付け、被収納物を支持可能なラック２０とを備えている。【選択図】    図２
2005198918.tif 000002
【特許請求の範囲】
【請求項１】
下方が開口したケースと、このケースに昇降動作可能に取付けられて収納引き出し可能な昇降棚とを備え、キッチンの上部に配置される昇降棚付き収納庫であって、
前記昇降棚は、前後方向に且つ縦方向に設けられた一枚構造の一方のたて板と、この一方のたて板に対向して前後方向に且つ縦方向に設けられた二重構造の他方のたて板と、この二枚のたて板の上部にほぼ水平方向に設けられた天板と、前記他方のたて板に固定された第１のフックと、前記天板に固定されて吊り下げられ、前記一方のたて板に配置された第２のフックと、前記第１のフックと前記第２のフックとの間に間口一ぱいに掛け渡され且つこの第２のフックを前記一方のたて板に常に押し付け、被収納物を支持可能なラックとを備えたことを特徴とする昇降棚付き収納庫。
【請求項２】
請求項１に記載の昇降棚付き収納庫であって、
前記第１のフックは、前記ラックと係合するための爪を有して一体的に成形され、
前記第２のフックは、前記天板に固定されて下方に延びるフック本体と、このフック本体に締結固定され前記第１のフックと同じ形状の係止部材とを組合せて構成されていることを特徴とする昇降棚付き収納庫。
【請求項３】
請求項１または２に記載の昇降棚付き収納庫であって、前記ラックは、前記第１のフックと前記第２のフックに支持された状態で前後方向にスライド可能であることを特徴とする昇降棚付き収納庫。
【請求項４】
請求項１，２または３に記載の昇降棚付き収納庫であって、前記一方のたて板は前記昇降棚の内部スペースを仕切る縦仕切り板であり、前記他方のたて板は前記昇降棚に設けられた側板であることを特徴とする昇降棚付き収納庫。
【発明の詳細な説明】
【技術分野】
【０００１】
本発明は、システムキッチン（複合厨房家具）などの上部に配置される昇降棚付き収納庫に関する。
【背景技術】
【０００２】
台所の上方空間を有効に活用するために、キッチン（たとえば、システムキッチン）の上部に吊り戸棚や収納庫を配置する場合がある。この吊り戸棚や収納庫は高い位置にあるので、台や椅子などを使って被収納物の出し入れをすることが多い。
そこで、被収納物の出し入れを容易にするために、電動または手動で昇降動作可能な昇降棚を吊り戸棚などに設け、この昇降棚を下方に引き出し可能にした昇降棚付き収納庫が知られている。
【０００３】
たとえば、特許文献１（特開２００３−３３２３３号公報）には、下方を開放した外キャビネット（ケース）内にスライド自在に内キャビネット（昇降棚）を設けた昇降式吊り戸棚（昇降棚付き収納庫）が提案されている。
このような昇降式吊り戸棚など昇降棚付き収納庫において、昇降棚の左右両端には側板（たて板）の他に、昇降棚の内部スペースを左右に仕切るための縦仕切り板が設けられる場合がある。
【特許文献１】特開２００３−３３２３３号公報
【発明の開示】
【発明が解決しようとする課題】
【０００４】
昇降棚付き収納庫では、被収納物を支持可能なラックを、側板と縦仕切り板の間にフックで取付ける場合がある。このフックは、側板や縦仕切り板などたて板の表面にビスやナットなどで固定される。これら側板や縦仕切り板は、意匠性を確保するために通常は二重構造になっているので、ビスやナットを取付けても問題は生じない。
ところが、昇降棚の軽量化，製造コストの低減のためには、縦仕切り板を一枚構造にするのが望ましい。縦仕切り板を一枚構造にしても、前方から見て両側が見えるのでただ仕切る機能のみではなく意匠性も確保する必要がある。
そのため、フックをビスやナットで一枚構造の縦仕切り板に取付けると、ビスなどの構造が見えてしまって見栄えが悪く、使用上も出っ張った部分に被収納物などが引っ掛かる恐れがある。
このような理由から、従来から縦仕切り板を一枚構造にする旨の要望はあるがその実現が困難であった。
【０００５】
本発明は、このような課題を解決するためになされたもので、昇降棚に縦方向に設けられて対向する二枚のたて板のうち一方のたて板を一枚構造にして、二枚のたて板の間にラックを設けてフックで支持することができ、また、フックを安定させてその破損を防止することができる昇降棚付き収納庫を提供することを目的とする。
【課題を解決するための手段】
【０００６】
上述の目的を達成するため、本発明にかかる昇降棚付き収納庫は、下方が開口したケースと、このケースに昇降動作可能に取付けられて収納引き出し可能な昇降棚とを備え、キッチンの上部に配置される昇降棚付き収納庫であって、前記昇降棚は、前後方向に且つ縦方向に設けられた一枚構造の一方のたて板と、この一方のたて板に対向して前後方向に且つ縦方向に設けられた二重構造の他方のたて板と、この二枚のたて板の上部にほぼ水平方向に設けられた天板と、前記他方のたて板に固定された第１のフックと、前記天板に固定されて吊り下げられ、前記一方のたて板に配置された第２のフックと、前記第１のフックと前記第２のフックとの間に間口一ぱいに掛け渡され且つこの第２のフックを前記一方のたて板に常に押し付け、被収納物を支持可能なラックとを備えている。
前記第１のフックは、前記ラックと係合するための爪を有して一体的に成形され、前記第２のフックは、前記天板に固定されて下方に延びるフック本体と、このフック本体に締結固定され前記第１のフックと同じ形状の係止部材とを組合せて構成されているのが好ましい。
前記ラックは、前記第１のフックと前記第２のフックに支持された状態で前後方向にスライド可能であるのが好ましい。
また、好ましくは、前記一方のたて板は前記昇降棚の内部スペースを仕切る縦仕切り板であり、前記他方のたて板は前記昇降棚に設けられた側板である。
【発明の効果】
【０００７】
本発明の昇降棚付き収納庫は、上述のように構成したので、昇降棚に縦方向に設けられて対向する二枚のたて板のうち一方のたて板を一枚構造にすることができ、また、フックを安定させてその破損を防止することができる。
【発明を実施するための最良の形態】
【０００８】
下記の実施例にかかる昇降棚付き収納庫では、第２のフックを、昇降棚の天板に固定して吊り下げることにより一方のたて板の外面上に間接的に配置し、ラックを、第１のフックと第２のフックとの間に間口一ぱいに掛け渡し且つこの第２のフックを一方のたて板に常に押し付けている。これにより、一方のたて板を一枚構造にすることができ、二枚のたて板の間にラックを設けてフックで支持することができ、また、フックを安定させてその破損を防止するという目的を実現している。
【実施例】
【０００９】
以下、本発明にかかる一実施例を、図１ないし図８を参照して説明する。
図１ないし図８は本発明の一実施例を示す図で、図１は、昇降棚付き収納庫とシステムキッチンの正面図、図２は電動昇降棚の部分正面断面図、図３は、図１に示す昇降棚付き収納庫の斜視図、図４ないし図６は、それぞれ電動昇降棚の一部を示す斜視図、図７，図８は、それぞれ第１のフック，第２のフックを示す斜視図である。
なお、説明の便宜上、図１の左，右，上，下，紙面手前，紙面後方を、それぞれ昇降棚付き収納庫とシステムキッチンの左方，右方，上方，下方，前方，後方として説明する。
【００１０】
図１ないし図６に示すように、本実施例では、台所に設置されるキッチンの一種であるシステムキッチン（複合厨房家具）２の上部に昇降棚付き収納庫（以下、収納庫と記載）１が配置された場合を例にとって説明する。なお、収納庫１は、キッチンとしての流し台の上部に配置された場合であってもよい。
システムキッチン２は、床面３上に設置されたキャビネット４を有しており、キャビネット４には、複数の引き出し，コンロなどが設けられている。収納庫１は、システムキッチン２の上部に配置された吊り戸棚になっており、台所の壁面（または、壁面と天井の両方）に取付けられている。
【００１１】
収納庫１は、下方が開口したケース１０と、電動で昇降動作可能にケース１０に取付けられて収納引き出し可能な昇降棚としての電動昇降棚１１とを備えている。本実施例では、昇降棚が電動昇降棚１１の場合を示しているが、手動で昇降させる手動式の昇降棚であってもよい。
電動昇降棚１１の内部スペースには、被収納物を出し入れ可能に収納できる。被収納物の種類としては、調理中に頻繁に使用されるものたとえば、食器類，ふきん，まな板，箸類，お玉杓子，キッチンペーパー，小物類，食品類（粉物，パック類），お茶類，その他各種のものがある。
【００１２】
電動昇降棚１１は前方が開放された矩形状をなしている。電動昇降棚１１は、前後方向に且つ縦方向に設けられた一枚構造の一方のたて板としての縦仕切り板１６と、縦仕切り板１６（一方のたて板）に対向して前後方向に且つ縦方向に設けられた二重構造の他方のたて板としての側板１２と、この二枚のたて板（縦仕切り板１６と側板１２）の上部にほぼ水平方向に設けられた天板１４とを備えている。
なお、一枚構造の一方のたて板は、縦仕切り板１６の場合を示したが、一枚構造であれば側板であってもよい。また、二重構造の他方のたて板は、側板１２の場合を示したが、二重構造であれば縦仕切り板であってもよい。
【００１３】
さらに、電動昇降棚１１は、側板１２に直接的に固定された一つまたは複数（ここでは、二つ）の第１のフック１８と、天板１４に固定されて吊り下げられ、縦仕切り板１６に配置された一つまたは複数（ここでは、二つ）の第２のフック１９と、被収納物２１を支持可能なラック２０とを備えている。ラック２０は、第１のフック１８と第２のフック１９との間に間口一ぱいに掛け渡され、且つ第２のフック１９を縦仕切り板１６に常に押し付けている。
第２のフック１９は、天板１４のみに支持されており、縦仕切り板１６には接触しているが固定されてはいない。このように、第２のフック１９を縦仕切り板１６に直接的に固定する必要がないので、縦仕切り板１６を一枚構造にすることができる。
また、ラック２０が、第１のフック１８と第２のフック１９との間に間口一ぱいに掛け渡され且つ第２のフック１９を縦仕切り板１６に常に押し付けているので、ラック２０を支持している第２のフック１９を、安定させてその破損を防止することができる。
【００１４】
側板１２は、電動昇降棚１１の左右に位置して互いに平行に一対設けられている。天板１４と底板１３が、一対の側板１２の間にほぼ水平に取付けられている。背板１５は、側板１２，底板１３，天板１４に固定されて背面に配置されている。
縦仕切り板１６は、左右に一対設けられて、昇降棚１１の内部スペースを縦方向に仕切っている。一対の縦仕切り板１６の間には、内部スペースを上下に仕切る横仕切り板２２が取付けられている。縦仕切り板１６と横仕切り板２２で内部スペースを分割することにより、キッチン周りで日常頻繁に使用する調理道具や小物類などを効率的に収納することができる。
本実施例では、ラック２０は、左側の縦仕切り板１６と左側の側板１２との間の収納スペースＳに配置されているので、左側の縦仕切り板１６は一枚構造であり、右側の縦仕切り板１６は二重構造または一枚構造である。
【００１５】
ケース１０は、矩形状に形成され下方が開口している。ケース１０は、左右に位置して縦方向に設けられた互いに平行な一対のケース側板３０と、ケース側板３０の上部にほぼ水平に取付けられた天井板３１と、ケース側板３０，天井板３１に固定されて背面に配置されたケース背板３２とを有している。
ケース１０の前面には前板３３が取付けられている。この前板３３は、電動昇降棚１１の昇降動作に連動して開閉するように揺動可能であり、電動昇降棚１１の上昇時にはケース１０の前面全体を閉じ、電動昇降棚１１の下降時にはケース１０の下方側を開くようになっている。
【００１６】
電動昇降棚１１の左右方向中央部の下部には、操作ハンドル３４が取付けられている。操作ハンドル３４は、電動昇降棚１１の下面手前側に位置して、電動昇降棚１１の前面より突出しないように設けられている。また、操作ハンドル３４は、比較的大型でコ字状をなしている。
操作ハンドル３４の前面には、収納庫１の電源をオン，オフするためのスイッチと、スイッチをオンしたときに点灯するランプと、照明スイッチと、電動昇降棚１１を昇降動作させるために操作する昇降操作ボタン３５などが設けられている。
操作ハンドル３４の昇降操作ボタン３５を操作すれば、昇降操作ボタン３５から出力される信号で、電動昇降棚１１の昇降駆動部が駆動される。昇降駆動部は、モータ，モータにより往復移動可能なベルト，ベルトを案内するローラなどを有して、電動昇降棚１１を昇降させる。この昇降駆動部により、電動昇降棚１１が、矢印Ｂに示すように昇降してケース１０に対して収納引き出し可能になる。
このように、昇降操作ボタン３５を操作すれば、電動昇降棚１１は昇降駆動部に駆動されて上昇動作と下降動作を行う。システムキッチン２での調理などの作業時に、電動昇降棚１１を容易に下方に引き出して、電動昇降棚１１に対して被収納物２１を出し入れすることができる。
【００１７】
収納庫１の前方表面は、平面視でシステムキッチン２の前方表面より後方に下がった位置に配置されている。電動昇降棚１１は、下方に引き出されるとシステムキッチン２のシンクの後方側に位置する。
したがって、ユーザーがシステムキッチン２で調理などの作業を行うとき、電動昇降棚１１を下方に引き出した状態で被収納物２１を容易に出し入れできて使い勝手がよく、また、電動昇降棚１１が下方に引き出されても、それほど調理などの作業の邪魔にはならない。
【００１８】
縦仕切り板１６は、金属製（たとえば、アルミニウム合金製）または合成樹脂製で、板状の一枚構造をなしている。縦仕切り板１６の前方側縁部には、美的外観の向上のために化粧部材４０が取付けられている。化粧部材４０は、前方から見て所定幅の板状または箱状をなしているので見栄えがよい。なお、縦仕切り板１６は化粧部材４０を省略した場合であってもよい。
縦仕切り板１６の後方縁部には、縦仕切り板１６を背板１５に支持可能な取付け用部材４１が一体または別体で固定されている。縦仕切り板１６の上縁部および下縁部にも、取付け用部材が一体または別体で固定されている。
これら取付け用部材を介して、縦仕切り板１６は、少なくとも天板１４と底板１３にそれぞれ固定されており、また、場合によっては必要に応じて背板１５にも固定されている。このようにして、縦仕切り板１６は、昇降棚１１に支持されているので、一枚構造であっても剛性が確保されている。
側板１２と天板１４は、それぞれ二重構造をなしており、各内部には剛性を向上させるためのスペーサ４２が必要に応じて取付けられている。
【００１９】
図２，図４〜図８に示すように、第１のフック１８は、合成樹脂製（または、金属製）で、ビス５０を係合させるための孔５１が形成されている。第１のフック１８は、ラック２０と係合するための爪５２を有して一体的に形成されている。爪５２は上方に突出して形成されている。
ビス５０を、孔５１に挿通するとともに側板１２にねじ込むことにより、第１のフック１８は側板１２に固定される。図７（Ａ），（Ｂ）はビス５０をねじ込む前の状態を示し、図７（Ｃ）はビス５０をねじ込んだ状態を示している。
こうして、第１のフック１８が側板１２に取付けられた状態で、爪５２と側板１２との間の溝にラック２０を着脱可能に装着することになる。
なお、第１のフック１８を、側板１２のスペーサ４２がある位置に取付ければ、ビス５０はスペーサ４２にもねじ込まれるので、第１のフック１８は側板１２に強固に固定されるので好ましい。
【００２０】
第２のフック１９は合成樹脂製（または、金属製）である。第２のフック１９は、天板１４に固定されて下方に延びるフック本体５５と、フック本体５５に締結固定され第１のフック１８と同じ形状の係止部材５６とを組合せて構成されている。したがって、係止部材５６には、ビス５０を通す孔５１と爪５２が形成されている。
このように、第２のフック１９を、二つの部材に分割して金型で成型可能にしている。係止部材５６を、第１のフック１８と同じ形状にして部品を共通化したので、金型の種類が少なくなり製造コストが低減される。
【００２１】
フック本体５５は、倒Ｌ字形をなして断面ほぼ矩形で上下に長い形状を有して、一体的に形成されている。フック本体５５の下部には、係止部材５６を取付けるための平面状の取付け面５７が形成されている。
取付け面５７には、係止部材５６用のビス５０をねじ込むためのねじ孔５８が、水平方向に形成されている。係止部材５６を取付け面５７に取付け、ビス５０を孔５１を介してねじ孔５８にねじ込めば、係止部材５６をフック本体５５に組み込むことができる。
図８（Ａ）は、係止部材５６をフック本体５５に組み込む前の状態を示しており、図８（Ｂ），（Ｃ）は、係止部材５６をフック本体５５に組み込んだ状態を示している。
ビス５０はフック本体５５にはねじ込まれているが、縦仕切り板１６にはねじ込まれないようになっている。ビス５０が縦仕切り板１６の反対側まで突出することはないので、見栄えがよく、また、ビス５０が出っ張らないので被収納物などが引っ掛かる恐れはない。
【００２２】
フック本体５５の上部には、水平方向に突出する板状突出部５９と、板状突出部５９の上面から突出する突出片６０が、一体的に形成されている。板状突出部５９には、ビス６１を通すための孔６２が上下方向に穿設されている。
突出片６０は、天板１４に形成された係合孔６３に係合して、第２のフック１９を所定位置に位置決めする機能を有している。
ビス６１を、板状突出部５９の孔６２に通し天板１４にねじ込めば、第２のフック１９を天板１４に固定することができる。こうして、ビス６１で第２のフック１９を天板１４に締結固定し、また、突出片６０を天板１４の係合孔６３に係合して位置決めすれば、第２のフック１９は、安定した状態で天板１４に固定される。
なお、第２のフック１９を、天板１４のスペーサ４２がある位置に配置すれば、ビス６１をスペーサ４２にもねじ込むことができるので、第２のフック１９をさらに強固に天板１４に固定することができる。
こうして、第２のフック１９を、天板１４で支持して縦仕切り板１６の表面に配置すれば、係止部材５６の爪５２とフック本体５５との間の溝にラック２０を着脱可能に装着してこれを支持することができる。
【００２３】
ラック２０は、第１のフック１８と第２のフック１９に支持された状態で、前後方向にスライド可能になっている。ラック２０を前後方向にスライドさせれば、ラック２０に支持される被収納物２１を、収納スペースＳに容易に出し入れすることができる。また、ラック２０を上に持ち上げれば、第１のフック１８と第２のフック１９から取り外して清掃などができるので、使い勝手がよい。
ラック２０の構成には各種のものがあり、たとえば、レードル・ふきん掛けラック，ペーパーラック，小物トレーなどの種類があり、金属製棒材などで形成されている場合が多い。
【００２４】
上述の第２のフック１９を使用すれば、縦仕切り板１６自体にビスやボルトなどをねじ込まなくても、間接的に第２のフック１９を縦仕切り板１６に配置することができる。したがって、第２のフック１９を縦仕切り板１６に直接的に固定する必要がなくなり、意匠上と使用上の課題を解決できる。
第２のフック１９を天板１４に固定したので、第２のフック１９が下方に長く延びており、そのため、第２のフック１９がぐらつかないような強度が必要である。そこで、ラック２０を、第１のフック１８と第２のフック１９との間に間口いっぱいに掛け渡すとともに、ラック２０で第２のフック１９を縦仕切り板１６に常に押し付けることにより、ラック２０と第２のフック１９と縦仕切り板１６とが一体化して必要な強度を発揮することができる。その結果、第２のフック１９が不安定になったり破損したりする恐れがなくなる。
縦仕切り板１６は一枚構造なので、二重構造と比べて材料をほぼ半分にすることができ、また、電動昇降棚１１の内部スペースが大きくなって収納可能な量が増加する。
【００２５】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２６】
本発明は、電動で昇降可能な電動昇降棚を有し、システムキッチンなどの上部に配置される昇降棚付き収納庫に適用可能である。
【図面の簡単な説明】
【００２７】
【図１】図１ないし図８は本発明の一実施例を示す図で、図１は、昇降棚付き収納庫とシステムキッチンの正面図である。
【図２】電動昇降棚の部分正面断面図である。
【図３】図１に示す昇降棚付き収納庫の斜視図である。
【図４】前記電動昇降棚の一部を示す斜視図である。
【図５】前記電動昇降棚の一部を示す斜視図である。
【図６】前記電動昇降棚の一部を示す斜視図である。
【図７】第１のフックを示す斜視図である。
【図８】第２のフックを示す斜視図である。
【符号の説明】
【００２８】
１      昇降棚付き収納庫
２      システムキッチン（キッチン）
１０    ケース
１１    電動昇降棚(昇降棚）
１２    側板(他方のたて板）
１４    天板
１６    縦仕切り板(一方のたて板）
１８    第１のフック
１９    第２のフック
２０    ラック
２１    被収納物
５２    爪
５５    フック本体
５６    係止部材
【図１】
2005198918.tif 000003
【図２】
2005198918.tif 000004
【図３】
2005198918.tif 000005
【図４】
2005198918.tif 000006
【図５】
2005198918.tif 000007
【図６】
2005198918.tif 000008
【図７】
2005198918.tif 000009
【図８】
2005198918.tif 000010